(57)【要約】【課題】光利用効率が低下することなく、光情報記録媒体の基板厚みの誤差に起因する収差を補正することができ、したがって、安定した高密度の記録／再生を行うことが可能な光ピックアップ装置及びそれを備えた光情報記録／再生装置を提供する。【解決手段】本発明の光ピックアップ装置は、半導体レーザ（ＬＤ）１からの出射光Ｌを所定の径に絞り込み光ディスク１１に集光させる第１の光学系のうち偏光ビームスプリッタ３と１／４波長板５との間に液晶収差補正素子２１を設け、光ディスク１１からの反射戻り光Ｌ’を所定の径に絞り込む第２の光学系のうち偏光ビームスプリッタ３と検出レンズ７との間に液晶収差補正素子２２を設け、これら液晶収差補正素子２１、２２を駆動するための液晶駆動回路２３を設けたことを特徴とする。【選択図】  図１
2005011418.tif 000002
【特許請求の範囲】
【請求項１】
一方の主面に複数の記録層が積層された光情報記録媒体の記録／再生を行う光ピックアップ装置であって、
光源と、該光源からの出射光を所定の径に絞り込み前記光情報記録媒体に集光させる第１の光学系と、前記光情報記録媒体からの反射戻り光を所定の径に絞り込む第２の光学系と、この所定の径に絞り込まれた反射戻り光を検知する受光素子とを備え、
前記第１の光学系に前記出射光の収差を補正する第１の収差補正素子を設け、
前記第２の光学系に前記反射戻り光の収差を補正する第２の収差補正素子を設けてなることを特徴とする光ピックアップ装置。
【請求項２】
前記第１及び第２の収差補正素子を、前記第１の光学系と前記第２の光学系との共通部分からなる光学系に設けてなることを特徴とする請求項１記載の光ピックアップ装置。
【請求項３】
前記第１及び第２の収差補正素子は、同一の光学特性を有するとともに、偏光方向が互いに異なる様に配置され、これら第１及び第２の収差補正素子は、これらの収差補正素子に共通の駆動手段により制御されることを特徴とする請求項１または２記載の光ピックアップ装置。
【請求項４】
前記第１及び第２の収差補正素子は、球面収差またはコマ収差を補正することを特徴とする請求項１、２または３記載の光ピックアップ装置。
【請求項５】
前記第１及び第２の収差補正素子は、液晶収差補正素子であることを特徴とする請求項１ないし４のいずれか１項記載の光ピックアップ装置。
【請求項６】
請求項１ないし５のいずれか１項記載の光ピックアップ装置を備えてなることを特徴とする光情報記録／再生装置。
【発明の詳細な説明】
【０００１】
【発明の属する技術分野】
本発明は、光ピックアップ装置及びそれを備えた光情報記録／再生装置に関し、特に詳しくは、複数の記録層を有する光情報記録媒体の記録／再生の際に好適に用いられ、光利用効率が低下することなく、光情報記録媒体の基板厚みの誤差に起因する収差を補正することができ、したがって、安定した高密度の記録／再生が可能な光ピックアップ装置及びそれを備えた光情報記録／再生装置に関するものである。
【０００２】
【従来の技術】
近年、ＣＤ（コンパクト・ディスク）、ＤＶＤ（ディジタル・ヴァーサタイル・ディスク）等の次に来る光ディスクとしては、例えば、青色光ディスク（Ｂｌｕ−ｒａｙ  Ｄｉｓｃ）、あるいは、情報が記録される記録層が複数、積層された光ディスク等が提案されている（例えば、特許文献１等参照）。
この様な、より小型かつ薄厚の次世代光ディスクにおいては、さらなる高密度記録を行って大容量化を図るために、半導体レーザが発光するレーザ光の波長を４０５ｎｍに短波長化し、このレーザ光を光ディスクの記録層に集光させるための対物レンズの開口数（ＮＡ：Ｎｕｍｅｒｉｃａｌ  Ａｐｅｒｔｕｒｅ）を０．８５まで高めることで、スポットの微小化を行っている。
また、この対物レンズの高い開口数（ＮＡ）に対して光ディスクの傾きマージンを確保するために、そのディスク基板の厚みを０．１ｍｍと薄くしている。
【０００３】
一方、高い開口数（ＮＡ）の対物レンズを用いると、ディスク基板の厚みの誤差に対して非常に弱くなり、このディスク基板の厚みの誤差、あるいは複数の記録層が積層された多層ディスクの記録層間の間隔の違いにより、球面収差が発生する。そこで、この球面収差を補正するために、この対物レンズの光源側に液晶収差補正素子を配置した光ピックアップ装置が提案されている（例えば、特許文献２等参照）。
【０００４】
【特許文献１】
特開２００２−３５２４７０号公報
【特許文献２】
特開２０００−３５３３３３号公報
【０００５】
図５は、従来の液晶収差補正素子を用いた光ピックアップ装置を示す概略構成図であり、図において、符号１は半導体レーザ（ＬＤ：光源）、２は半導体レーザ（ＬＤ）１からの出射光Ｌを平行光とするコリメートレンズ、３はコリメートレンズ２からの平行光を透過／反射させかつ後述する光ディスク１０からの反射戻り光Ｌ’を反射させる偏光ビームスプリッタ（ＰＢＳ）、４は液晶収差補正素子、５は１／４波長（λ／４）板、６は高い開口数（ＮＡ）の対物レンズ、７は反射戻り光Ｌ’を所定の径に絞り込む検出レンズ、８は所定の径に絞り込まれた反射戻り光Ｌ’を検出するホトダイオード（ＰＤ：受光素子）、９は半導体レーザ（ＬＤ）１からの出射光Ｌを検出することで半導体レーザ（ＬＤ）１の出力パワーをモニターするホトダイオード（ＰＤ）、１０は液晶収差補正素子４を駆動するための液晶駆動回路、１１は光ディスク（光情報記録媒体）、１２は光ディスク１１の記録面である。
【０００６】
この光ピックアップ装置では、半導体レーザ（ＬＤ）１からは、Ｘ方向に偏光した直線偏光の出射光Ｌが出射される。この出射光Ｌは、コリメートレンズ２により平行とされ、偏光ビームスプリッタ（ＰＢＳ）３を透過し、液晶収差補正素子４に入射する。この液晶収差補正素子４では、液晶駆動回路１０により光ディスク１１の基板厚みに対応した電圧が印加されることにより、この光ディスク１１の基板厚みの誤差により生じる球面収差を補正する位相を平行光となった出射光Ｌに与える。したがって、この出射光Ｌは位相補正される。
この位相補正された出射光Ｌは、１／４波長板５により円偏光となり、対物レンズ６により所定の径に絞り込まれ、光ディスク１１の記録面１２に集光される。
【０００７】
この円偏光となった出射光Ｌは、光ディスク１１を透過した際に液晶収差補正素子４により付与された位相と該光ディスク１１にて生じる球面収差が相殺され、収差の無い微小なスポットとなって記録面１２に集光されることとなる。
一方、光ディスク１１からの反射戻り光Ｌ’は、対物レンズ６により平行な反射戻り光Ｌ’となり、１／４波長板５によりＹ方向の直線偏光に変換され、偏光ビームスプリッタ（ＰＢＳ）３により反射された後、検出レンズ７により所定の径に絞り込まれてホトダイオード（ＰＤ）８に集光される。このホトダイオード（ＰＤ）８では、入射した光が電気信号に変換（光電変換）され、情報信号の他、フォーカスエラー（ＦＥ）信号、トラッキングエラー信号等が出力される。
【０００８】
【発明が解決しようとする課題】
ところで、従来の液晶収差補正素子を用いた光ピックアップ装置では、液晶収差補正素子４が偏光依存性を有しているものであるから、この液晶収差補正素子４を光軸の回りに回転させて、例えば、Ｘ方向の直線偏光に作用するようにその位置を調整した場合、Ｙ方向の直線偏光に対しては何等作用しないことになる。
ここで、出射光Ｌに対してＸ方向で収差補正を行うように、この液晶収差補正素子４を設定した場合、光ディスク１１の基板の厚み誤差によって生じた球面収差は、液晶収差補正素子４によっても補正されず、よって、ホトダイオード（ＰＤ）８には、球面収差が補正されない反射戻り光Ｌ’が集光されることとなり、したがって、ＦＥ信号が劣化し、情報の記録／再生を正確に行うことが難しくなるという問題点があった。
【０００９】
図６は、光ディスク基板の厚みに誤差が無い場合の非点収差法によるＦＥ信号を示す図であり、この光ディスクの基板の厚みは１００μｍである。
また、図７は、半導体レーザからの出射光のみに球面収差補正を施した場合のＦＥ信号を示す図であり、この光ディスクは、記録層が２層積層された２層ディスクであり、この光ディスクの基板の厚みは７５μｍである。
これらの図から明らかな様に、球面収差補正が施されたＦＥ信号は、基板の厚みに誤差が無い場合のＦＥ信号と比べて対称性が崩れ、信号振幅も劣化して小さくなっており、安定かつ正確なフォーカス・サーボを掛けることは困難である。
【００１０】
本発明は、上記の事情に鑑みてなされたものであって、光利用効率が低下することなく、光情報記録媒体の基板厚みの誤差に起因する収差を補正することができ、したがって、安定した高密度の記録／再生を行うことが可能な光ピックアップ装置及びそれを備えた光情報記録／再生装置を提供することを目的とする。
【００１１】
【課題を解決するための手段】
上記課題を解決するために、本発明は次のような光ピックアップ装置及びそれを備えた光情報記録／再生装置を提供した。
すなわち、請求項１記載の光ピックアップ装置は、一方の主面に複数の記録層が積層された光情報記録媒体の記録／再生を行う光ピックアップ装置であって、光源と、該光源からの出射光を所定の径に絞り込み前記光情報記録媒体に集光させる第１の光学系と、前記光情報記録媒体からの反射戻り光を所定の径に絞り込む第２の光学系と、この所定の径に絞り込まれた反射戻り光を検知する受光素子とを備え、前記第１の光学系に前記出射光の収差を補正する第１の収差補正素子を設け、前記第２の光学系に前記反射戻り光の収差を補正する第２の収差補正素子を設けてなることを特徴とする。
【００１２】
この光ピックアップ装置では、前記第１の光学系に前記出射光の収差を補正する第１の収差補正素子を設け、前記第２の光学系に前記反射戻り光の収差を補正する第２の収差補正素子を設けたことにより、出射光の収差の補正と反射戻り光の収差の補正が光学系毎に互いに独立に行われることとなり、出射光の光透過率の低下を防止し、記録パワーの効率が向上する。また、出射光および反射戻り光それぞれの光ディスクの基板の厚み誤差による球面収差を補正することが可能になる。これにより、収差が無くかつ品質の良い光を光情報記録媒体に集光させることが可能になるとともに、良好なＦＥ信号を確保することが可能になり、安定した記録／再生が可能になる。
【００１３】
請求項２記載の光ピックアップ装置は、請求項１記載の光ピックアップ装置において、前記第１及び第２の収差補正素子を、前記第１の光学系と前記第２の光学系との共通部分からなる光学系に設けてなることを特徴とする。
この光ピックアップ装置では、前記第１及び第２の収差補正素子を、前記第１の光学系と前記第２の光学系との共通部分からなる光学系に設けたことにより、光ピックアップ装置全体の小型化が可能になる。
【００１４】
請求項３記載の光ピックアップ装置は、請求項１または２記載の光ピックアップ装置において、前記第１及び第２の収差補正素子は、同一の光学特性を有するとともに、偏光方向が互いに異なる様に配置され、これら第１及び第２の収差補正素子は、これらの収差補正素子に共通の駆動手段により制御されることを特徴とする。
【００１５】
この光ピックアップ装置では、同一の光学特性を有する前記第１及び第２の収差補正素子を偏光方向が互いに異なる様に配置したことにより、収差補正素子の種類を１つに限定することが可能になる。また、これら第１及び第２の収差補正素子を、これらの収差補正素子に共通の駆動手段により制御することにより、駆動手段の削減及び小型化が可能になる。これにより、収差補正素子及び駆動手段を含む構成全体の小型化が可能になり、製造コストも削減される。
【００１６】
請求項４記載の光ピックアップ装置は、請求項１、２または３記載の光ピックアップ装置において、前記第１及び第２の収差補正素子は、球面収差またはコマ収差を補正することを特徴とする。
【００１７】
この光ピックアップ装置では、前記第１及び第２の収差補正素子が球面収差またはコマ収差を補正することにより、出射光および反射戻り光それぞれの光ディスクの基板の厚み誤差による球面収差、光ディスクの基板のチルトによるコマ収差のいずれかを補正することが可能になる。これにより、球面収差またはコマ収差が無くかつ品質の良い光を光情報記録媒体に集光させることが可能になる。
【００１８】
請求項５記載の光ピックアップ装置は、請求項１ないし４のいずれか１項記載の光ピックアップ装置において、前記第１及び第２の収差補正素子は、液晶収差補正素子であることを特徴とする。
【００１９】
この光ピックアップ装置では、前記第１及び第２の収差補正素子を液晶収差補正素子としたことにより、それぞれの液晶収差補正素子をその光軸の回りに回転させて各素子の液晶の配向方向を設定することにより、各々の液晶収差補正素子を異なる方向の偏光に作用するように設定することが可能である。
これにより、それぞれの液晶収差補正素子をその光軸の回りに回転させるという簡単な動作により、出射光および反射戻り光それぞれの光ディスクの基板の厚み誤差による球面収差を補正することが可能になる。
また、液晶収差補正素子は小型化が可能であるから、光ピックアップ装置全体のさらなる小型化が可能になる。
【００２０】
請求項６記載の光情報記録／再生装置は、請求項１ないし５のいずれか１項記載の光ピックアップ装置を備えてなることを特徴とする。
この光情報記録／再生装置では、請求項１ないし４のいずれか１項記載の光ピックアップ装置を備えたことにより、球面収差またはコマ収差が無く、かつ品質の良い光を光情報記録媒体に集光させることが可能になり、良好なＦＥ信号を確保することが可能になり、安定した記録／再生が可能になる。
【００２１】
【発明の実施の形態】
本発明の光ピックアップ装置及びそれを備えた光ディスク記録／再生装置（光情報記録／再生装置）の各実施形態について、図面に基づき説明する。
なお、係る実施の形態は、本発明の一態様を示すものであり、本発明はこれらの実施の形態に限定されるものではなく、本発明の技術的思想の範囲内で任意に変更可能である。
【００２２】
「第１の実施形態」
図１は本発明の第１の実施形態の光ピックアップ装置を示す概略構成図であり、図１中、図５と同一の構成要素については同一の符号を付し、説明を省略する。
図において、符号２１は、半導体レーザ（ＬＤ）１からの出射光Ｌを所定の径に絞り込み光ディスク１１に集光させる第１の光学系のうち偏光ビームスプリッタ（ＰＢＳ）３と１／４波長（λ／４）板５との間の光軸Ａｘ上に設けられた液晶収差補正素子、２２は、光ディスク１１からの反射戻り光Ｌ’を所定の径に絞り込む第２の光学系のうち偏光ビームスプリッタ（ＰＢＳ）３と検出レンズ７との間の光軸Ａｘ’上に設けられた液晶収差補正素子、２３はこれらの液晶収差補正素子２１、２２を駆動するための液晶駆動回路（駆動手段）である。
【００２３】
液晶収差補正素子２１は、液晶を２枚のガラス基板（透明基板）により挟持したもので、素子２１全体を光軸Ａｘの回りに回転させることにより、液晶の配向方向を所望の方向に設定するようになっている。したがって、この液晶収差補正素子２１全体を光軸Ａｘの回りに回転させるだけで、この液晶収差補正素子２１を、例えば、Ｘ方向の直線偏光に作用するように設定することができる。
【００２４】
液晶収差補正素子２２は、液晶収差補正素子２１と同様、液晶を２枚のガラス基板（透明基板）により挟持したもので、素子２２全体を光軸Ａｘ’の回りに回転させることにより、液晶の配向方向を所望の方向に設定するようになっている。したがって、この液晶収差補正素子２２においても、素子２２全体を光軸Ａｘ’の回りに回転させるだけで、この液晶収差補正素子２２を、例えば、Ｙ方向の直線偏光に作用するように設定することができる。
【００２５】
この場合、液晶収差補正素子２１と液晶収差補正素子２２それぞれを透過する光のビーム径が同じなので、同一の液晶収差補正素子を用い、各々の液晶の配向方向のみ互いに直交するように配置すればよい。
また、液晶収差補正素子２１と液晶収差補正素子２２それぞれに、液晶駆動回路２３により同一の電圧を印加することで、出射光Ｌ及び反射戻り光Ｌ’それぞれの収差を補正することが可能である。
【００２６】
この光ピックアップ装置では、半導体レーザ（ＬＤ）１からは、例えば、発振波長が４０２〜４０５ｎｍでありかつＸ方向に偏光した直線偏光の出射光Ｌが出射される。この出射光Ｌは、コリメートレンズ２により平行な出射光Ｌとされ、偏光ビームスプリッタ（ＰＢＳ）３を透過した後、液晶収差補正素子２１に入射する。この液晶収差補正素子２１はＸ方向の直線偏光に作用するように液晶が配向されているので、この液晶収差補正素子２１に液晶駆動回路２３により光ディスク１１の基板厚みに対応した電圧、あるいは光ディスク１１の記録層間の間隔に対応した電圧を印加し、この光ディスク１１の基板厚みの誤差により生じる球面収差、あるいは光ディスク１１の記録層間の間隔の誤差により生じる球面収差を補正する位相を上記の平行光に付与する。これにより、入射した平行光は位相補正される。
【００２７】
この位相補正された出射光Ｌは、１／４波長板５により円偏光とされた後、対物レンズ６により所定の径に絞り込まれ、光ディスク１１の記録面１２に集光される。
この円偏光となった出射光Ｌは、光ディスク１１を透過した際に液晶収差補正素子２１により付与された位相と光ディスク１１にて生じる球面収差が相殺され、収差の無い微小なスポットとなって記録面１２に集光されることとなる。
【００２８】
この光ディスク１１からの反射戻り光Ｌ’は、対物レンズ６により平行な反射戻り光Ｌ’となり、１／４波長板５により偏光方向が９０°回転された後、Ｙ方向の直線偏光に変換され、液晶収差補正素子２１に入射する。この液晶収差補正素子２１は、Ｘ方向の直線偏光に作用するように液晶が配向されているので、Ｙ方向の直線偏光に変換された反射戻り光Ｌ’は、何等作用を受けることがない。
【００２９】
この液晶収差補正素子２１を透過した反射戻り光Ｌ’は、偏光ビームスプリッタ（ＰＢＳ）３により反射された後、液晶収差補正素子２２に入射する。この液晶収差補正素子２２は、Ｙ方向の直線偏光に作用するように液晶が配向されているので、液晶駆動回路２３により光ディスク１１の基板厚みに対応した電圧、あるいは光ディスク１１の記録層間の間隔に対応した電圧、すなわち液晶収差補正素子２１に印加された電圧と同じ大きさの電圧を印加し、この光ディスク１１の基板厚みの誤差により生じる球面収差、あるいは光ディスク１１の記録層間の間隔の誤差により生じる球面収差を補正する位相を上記の反射戻り光Ｌ’に付与する。これにより、入射した反射戻り光Ｌ’は位相補正される。
【００３０】
この位相補正された反射戻り光Ｌ’は、検出レンズ７により所定の径に絞り込まれてホトダイオード（ＰＤ）８に集光される。このホトダイオード（ＰＤ）８では、入射した光が電気信号に変換（光電変換）され、情報信号の他、フォーカスエラー（ＦＥ）信号、トラッキングエラー信号等が出力される。
このように、球面収差を有する反射戻り光Ｌ’は、液晶収差補正素子２２により球面収差が補正されるので、ホトダイオード（ＰＤ）８には、球面収差が補正された反射戻り光Ｌ’が集光されることとなる。したがって、ＦＥ信号が劣化する虞が無く、情報の記録／再生が正確に行われる。
【００３１】
この光ピックアップ装置を光ディスク記録／再生装置に搭載することで、球面収差が無く、かつ品質の良い光を光ディスク１１に集光させることが可能になり、良好なＦＥ信号を確保することが可能になる。これにより、安定かつ正確な記録／再生が可能になる。
【００３２】
以上説明したように、本実施形態の光ピックアップ装置によれば、偏光ビームスプリッタ（ＰＢＳ）３と１／４波長（λ／４）板５との間の光軸Ａｘ上に液晶収差補正素子２１を設け、偏光ビームスプリッタ（ＰＢＳ）３と検出レンズ７との間の光軸Ａｘ’上に液晶収差補正素子２２を設けたので、出射光Ｌの収差の補正と反射戻り光Ｌ’の収差の補正を互いに独立に行うことができ、出射光Ｌの光透過率の低下を防止することができ、記録パワーの効率を向上させることができる。
【００３３】
また、出射光Ｌおよび反射戻り光Ｌ’それぞれについて、光ディスク１１の基板の厚み誤差による球面収差を補正することができる。したがって、収差が無くかつ品質の良い光を光ディスク１１に集光させることができ、良好なＦＥ信号を確保することができ、安定した記録／再生を行うことができる。
【００３４】
本実施形態の光ディスク記録／再生装置によれば、本実施形態の光ピックアップ装置を搭載したので、球面収差が無く、かつ品質の良い光を光ディスク１１に集光させることができ、良好なＦＥ信号を確保することができる。したがって、安定かつ正確な記録／再生を行うことができる。
【００３５】
「第２の実施形態」
図２は本発明の第２の実施形態の光ピックアップ装置を示す概略構成図であり、この光ピックアップ装置が第１の実施形態の光ピックアップ装置と異なる点は、第１の実施形態の光ピックアップ装置では、偏光ビームスプリッタ（ＰＢＳ）３と検出レンズ７との間の光軸Ａｘ’上に液晶収差補正素子２２を設けたのに対し、本実施形態の光ピックアップ装置では、光ディスク１１からの反射戻り光Ｌ’を所定の径に絞り込む検出レンズ７の外側の光軸Ａｘ’上（第２の光学系内）に液晶収差補正素子２２を設けた点である。
【００３６】
このピックアップ装置では、液晶収差補正素子２２を、反射戻り光Ｌ’を所定の径に絞り込む検出レンズ７の外側の光軸Ａｘ’上に設けたことにより、この液晶収差補正素子２２を透過する反射戻り光Ｌ’のビーム径は、液晶収差補正素子２１を透過する出射光Ｌのビーム径より小さくなる。したがって、この液晶収差補正素子２２のパターン領域も透過する光のビーム径により決まっており、液晶収差補正素子２１のパターン領域と相似形である。
【００３７】
本実施形態のピックアップ装置においても、第１の実施形態の光ピックアップ装置と同様の効果を奏することができる。
しかも、液晶収差補正素子２２を、反射戻り光Ｌ’を所定の径に絞り込む検出レンズ７の外側の光軸Ａｘ’上に設けたので、液晶収差補正素子２２を小型化することができ、ピックアップ装置全体を小型化することができる。
【００３８】
「第３の実施形態」
図３は本発明の第３の実施形態の光ピックアップ装置を示す概略構成図であり、この光ピックアップ装置が第１の実施形態の光ピックアップ装置と異なる点は、第１の実施形態の光ピックアップ装置では、第１の光学系の偏光ビームスプリッタ（ＰＢＳ）３と１／４波長（λ／４）板５との間の光軸Ａｘ上に液晶収差補正素子２１を、第２の光学系の偏光ビームスプリッタ（ＰＢＳ）３と検出レンズ７との間の光軸Ａｘ’上に液晶収差補正素子２２を、それぞれ設けたのに対し、本実施形態の光ピックアップ装置では、第１の光学系と第２の光学系の共通部分の光学系である偏光ビームスプリッタ（ＰＢＳ）３と１／４波長（λ／４）板５との間の光軸Ａｘ上に液晶収差補正素子２１、２２を設けた点である。
【００３９】
図４は、出射光Ｌ及び反射戻り光Ｌ’の双方に球面収差補正を施した場合のＦＥ信号を示す図であり、この光ディスクは、記録層が２層積層された２層ディスクであり、この光ディスクの基板の厚みは７５μｍである。
この図４によれば、ＦＥ信号の対称性が確保され、信号振幅も劣化することなく、安定かつ正確な記録／再生ができることが分かった。
【００４０】
本実施形態のピックアップ装置においても、第１の実施形態の光ピックアップ装置と同様の効果を奏することができる。
しかも、共通部分の光学系である偏光ビームスプリッタ（ＰＢＳ）３と１／４波長（λ／４）板５との間の光軸Ａｘ上に液晶収差補正素子２１、２２を設けたので、収差補正素子自体を小型化することができ、ピックアップ装置全体を小型化することができる。
【００４１】
なお、上記の第１〜第３の実施形態のピックアップ装置では、光ディスク１１の基板厚みの誤差により生じる球面収差、あるいは光ディスク１１の記録層間の間隔の誤差により生じる球面収差を補正する液晶収差補正素子２１、２２について説明したが、光ディスク１１のチルトによるコマ収差を補正する場合に対しても適用することができる。
【００４２】
【発明の効果】
以上説明した様に、本発明の光ピックアップ装置によれば、光源からの出射光を所定の径に絞り込み光情報記録媒体に集光させる第１の光学系に前記出射光の収差を補正する第１の収差補正素子を設け、光情報記録媒体からの反射戻り光を所定の径に絞り込む第２の光学系に前記反射戻り光の収差を補正する第２の収差補正素子を設けたので、出射光の光透過率の低下を防止することができ、記録パワーの効率を向上させることができる。
また、出射光および反射戻り光それぞれの光ディスクの基板の厚み誤差による球面収差を補正することができ、したがって、収差が無くかつ品質の良い光を光情報記録媒体に集光させることができ、良好なＦＥ信号を確保することができ、その結果、安定かつ正確な記録／再生を行うことができる。
【００４３】
第１及び第２の収差補正素子を、第１の光学系と第２の光学系との共通部分からなる光学系に設ければ、光ピックアップ装置全体の小型化を図ることができる。
【００４４】
同一の光学特性を有する第１及び第２の収差補正素子を偏光方向が互いに異なる様に配置すれば、収差補正素子の種類を１つに限定することができる。また、これら第１及び第２の収差補正素子を、これらの収差補正素子に共通の駆動手段により制御するので、駆動手段の削減及び小型化を図ることができ、収差補正素子及び駆動手段を含む構成全体の小型化を図ることができる。さらに、製造コストも削減することができるので、より安価な製品を提供することができる。
【００４５】
本発明の光情報記録／再生装置によれば、本発明の光ピックアップ装置を備えたので、球面収差またはコマ収差が無く、かつ品質の良い光を光情報記録媒体に集光させることができ、良好なＦＥ信号を確保することができる。したがって、安定かつ正確な記録／再生を行うことができる。
また、ピックアップ装置自体を小型化することができるので、光情報記録／再生装置全体を小型化することができる。
【図面の簡単な説明】
【図１】本発明の第１の実施形態の光ピックアップ装置を示す概略構成図である。
【図２】本発明の第２の実施形態の光ピックアップ装置を示す概略構成図である。
【図３】本発明の第３の実施形態の光ピックアップ装置を示す概略構成図である。
【図４】本発明の第３の実施形態の光ピックアップ装置のＦＥ信号を示す図である。
【図５】従来の光ピックアップ装置を示す概略構成図である。
【図６】従来の光ピックアップ装置のＦＥ信号の一例を示す図である。
【図７】従来の光ピックアップ装置のＦＥ信号の他の例を示す図である。
【符号の説明】
１  半導体レーザ（光源）
２  コリメートレンズ
３  偏光ビームスプリッタ
５  １／４波長板
６  対物レンズ
７  検出レンズ
８  ホトダイオード（受光素子）
９  ホトダイオード（ＰＤ）
１１  光ディスク（光情報記録媒体）
１２  記録面
２１、２２  液晶収差補正素子
２３  液晶駆動回路（駆動手段）
Ｌ  出射光
Ｌ’  反射戻り光
【図１】
2005011418.tif 000003
【図２】
2005011418.tif 000004
【図３】
2005011418.tif 000005
【図４】
2005011418.tif 000006
【図５】
2005011418.tif 000007
【図６】
2005011418.tif 000008
【図７】
2005011418.tif 000009